【手続補正書】
【提出日】平成24年5月1日(2012.5.1)
【手続補正１】
【補正対象書類名】特許請求の範囲
【補正対象項目名】全文
【補正方法】変更
【補正の内容】
【特許請求の範囲】
【請求項１】
偽造防止の必要性がある印刷物を作成する印刷処理装置の制御方法であって、
前記印刷処理装置が、
前記印刷物の真贋を判定するためのＩＤを生成するＩＤ生成ステップと、
生成した前記ＩＤに基づき、それぞれ異なる偽造防止情報であって、組み合わせることによって前記ＩＤを復元可能な複数の前記偽造防止情報を生成する偽造防止情報生成ステップと、
１の印刷物に、複数の前記偽造防止情報のうち、いずれか１以上の偽造防止情報を可視塗料で印刷すると共に、他の１以上の偽造防止情報を不可視塗料で印刷する印刷ステップと、を実行することを特徴とする印刷処理装置の制御方法。
【請求項２】
前記偽造防止情報は、単体では意味を成さない情報であることを特徴とする請求項１に記載の印刷処理装置の制御方法。
【請求項３】
前記偽造防止情報は、前記ＩＤを暗号化した暗号化情報と、当該暗号化情報を復号化するための復号化情報と、を含むことを特徴とする請求項２に記載の印刷処理装置の制御方法。
【請求項４】
前記印刷物は、会計処理に伴って発行されるレシートであり、
前記印刷処理装置は、
前記会計処理に関する会計情報を取得する会計情報取得ステップを実行し、
前記ＩＤ生成ステップは、前記会計情報取得ステップで取得された前記会計情報、および前記印刷処理装置に予め登録されている登録情報に基づいて、前記ＩＤを生成することを特徴とする請求項１ないし３のいずれか１項に記載の印刷処理装置の制御方法。
【請求項５】
前記会計情報は、前記会計処理の取引合計金額、会計日時、前記印刷処理装置の操作者であるレジ担当者、のうち少なくとも１以上に関する情報を含み、
前記登録情報は、前記印刷処理装置が設置されている店舗の店番号、前記印刷処理装置を識別するための印刷装置番号、の少なくとも一方に関する情報を含むことを特徴とする請求項４に記載の印刷処理装置の制御方法。
【請求項６】
前記印刷処理装置は、
前記レシートの受取人である顧客の認証情報を取得する認証情報取得ステップを実行し、
前記ＩＤ生成ステップは、前記認証情報取得ステップで取得された前記認証情報に基づいて、前記ＩＤを生成することを特徴とする請求項１ないし５のいずれか１項に記載の印刷処理装置の制御方法。
【請求項７】
前記印刷処理装置は、
前記会計レシートの受取人である顧客の認証情報を取得する認証情報取得ステップを実行し、
前記印刷ステップは、前記認証情報取得ステップで取得された前記認証情報を前記不可視塗料で印刷することを特徴とする請求項１ないし５のいずれか１項に記載の印刷処理装置の制御方法。
【請求項８】
前記ＩＤは、複数の前記偽造防止情報の演算処理によって復元されることを特徴とする請求項１ないし７のいずれか1項に記載の印刷処理装置の制御方法。
【請求項９】
前記偽造防止情報は、単体で意味を成し、前記偽造防止情報の整合性により、前記印刷物の真贋が判定されることを特徴とする請求項１に記載の印刷処理装置の制御方法。
【請求項１０】
偽造防止の必要性がある印刷物を作成する印刷処理装置であって、
前記印刷物の真贋を判定するためのＩＤを生成するＩＤ生成手段と、
生成した前記ＩＤに基づき、それぞれ異なる偽造防止情報であって、組み合わせることによって前記ＩＤを復元可能な複数の前記偽造防止情報を生成する偽造防止情報生成手段と、
１の印刷物に、複数の前記偽造防止情報のうち、いずれか１以上の偽造防止情報を可視塗料で印刷すると共に、他の１以上の偽造防止情報を不可視塗料で印刷する印刷手段と、を備えたことを特徴とする印刷処理装置。
【請求項１１】
前記印刷物は、会計処理に伴って発行されるレシートであり、
前記印刷手段は、会計処理を行うＰＯＳ端末から、前記会計処理に関する会計情報を取得して前記レシートを印刷し、
前記ＩＤ生成手段は、取得した前記会計情報に基づいて、前記ＩＤを生成することを特徴とする請求項１０に記載の印刷処理装置。
【請求項１２】
前記印刷物に印刷された複数の前記偽造防止情報を読み取る偽造防止情報読み取り手段と、
複数の前記偽造防止情報の読み取り結果に基づいて、前記ＩＤを復元する復元手段と、
復元された前記ＩＤに基づいて、前記印刷物の真贋を判定する真贋判定手段と、
を備えたことを特徴とする請求項１０または１１に記載の印刷処理装置。
【請求項１３】
それぞれ異なる偽造防止情報であって、組み合わせることによって、印刷物の真贋を判定するためのＩＤを復元可能な複数の偽造防止情報が印刷され、
複数の前記偽造防止情報のうち、いずれか１以上の偽造防止情報が可視塗料で印刷され、他の１以上の偽造防止情報が不可視塗料で印刷されていることを特徴とする印刷物。
【請求項１４】
コンピューターに、請求項１ないし９のいずれか１項に記載の印刷処理装置の制御方法における各ステップを実行させるためのプログラム。
【手続補正２】
【補正対象書類名】明細書
【補正対象項目名】０００６
【補正方法】変更
【補正の内容】
【０００６】
本発明の印刷処理装置の制御方法は、偽造防止の必要性がある印刷物を作成する印刷処理装置の制御方法であって、印刷処理装置が、印刷物の真贋を判定するためのＩＤを生成するＩＤ生成ステップと、生成したＩＤに基づき、それぞれ異なる偽造防止情報であって、組み合わせることによってＩＤを復元可能な複数の偽造防止情報を生成する偽造防止情報生成ステップと、１の印刷物に、複数の偽造防止情報のうち、いずれか１以上の偽造防止情報を可視塗料で印刷すると共に、他の１以上の偽造防止情報を不可視塗料で印刷する印刷ステップと、を実行することを特徴とする。
上記の印刷処理装置の制御方法において、偽造防止情報は、単体では意味を成さない情報であることが好ましい。
上記の印刷処理装置の制御方法において、偽造防止情報は、ＩＤを暗号化した暗号化情報と、当該暗号化情報を復号化するための復号化情報と、を含むことが好ましい。
上記の印刷処理装置の制御方法において、印刷物は、会計処理に伴って発行されるレシートであり、印刷処理装置は、会計処理に関する会計情報を取得する会計情報取得ステップを実行し、ＩＤ生成ステップは、会計情報取得ステップで取得された会計情報、および印刷処理装置に予め登録されている登録情報に基づいて、ＩＤを生成することが好ましい。
上記の印刷処理装置の制御方法において、会計情報は、会計処理の取引合計金額、会計日時、印刷処理装置の操作者であるレジ担当者、のうち少なくとも１以上に関する情報を含み、登録情報は、印刷処理装置が設置されている店舗の店番号、印刷処理装置を識別するための印刷装置番号、の少なくとも一方に関する情報を含むことが好ましい。
上記の印刷処理装置の制御方法において、印刷処理装置は、レシートの受取人である顧客の認証情報を取得する認証情報取得ステップを実行し、ＩＤ生成ステップは、認証情報取得ステップで取得された認証情報に基づいて、ＩＤを生成することが好ましい。
上記の印刷処理装置の制御方法において、印刷処理装置は、会計レシートの受取人である顧客の認証情報を取得する認証情報取得ステップを実行し、印刷ステップは、認証情報取得ステップで取得された認証情報を不可視塗料で印刷することが好ましい。
上記の印刷処理装置の制御方法において、ＩＤは、複数の偽造防止情報の演算処理によって復元されることが好ましい。
上記の印刷処理装置の制御方法において、偽造防止情報は、単体で意味を成し、偽造防止情報の整合性により、印刷物の真贋が判定されることが好ましい。
本発明の印刷処理装置は、偽造防止の必要性がある印刷物を作成する印刷処理装置であって、印刷物の真贋を判定するためのＩＤを生成するＩＤ生成手段と、生成したＩＤに基づき、それぞれ異なる偽造防止情報であって、組み合わせることによってＩＤを復元可能な複数の偽造防止情報を生成する偽造防止情報生成手段と、１の印刷物に、複数の偽造防止情報のうち、いずれか１以上の偽造防止情報を可視塗料で印刷すると共に、他の１以上の偽造防止情報を不可視塗料で印刷する印刷手段と、を備えたことを特徴とする。
上記の印刷処理装置において、印刷物は、会計処理に伴って発行されるレシートであり、印刷手段は、会計処理を行うＰＯＳ端末から、会計処理に関する会計情報を取得してレシートを印刷し、ＩＤ生成手段は、取得した会計情報に基づいて、ＩＤを生成することが好ましい。
上記の印刷処理装置において、印刷物に印刷された複数の偽造防止情報を読み取る偽造防止情報読み取り手段と、複数の偽造防止情報の読み取り結果に基づいて、ＩＤを復元する復元手段と、復元されたＩＤに基づいて、印刷物の真贋を判定する真贋判定手段と、を備えたことが好ましい。
本発明の印刷物は、それぞれ異なる偽造防止情報であって、組み合わせることによって、印刷物の真贋を判定するためのＩＤを復元可能な複数の偽造防止情報が印刷され、複数の偽造防止情報のうち、いずれか１以上の偽造防止情報が可視塗料で印刷され、他の１以上の偽造防止情報が不可視塗料で印刷されていることを特徴とする。
本発明のプログラムは、コンピューターに、上記の印刷処理装置の制御方法における各ステップを実行させることを特徴とする。
なお、以下の構成としても良い。
本発明の印刷処理装置の制御方法は、偽造防止の必要性がある印刷物を作成する印刷処理装置の制御方法であって、印刷処理装置が、印刷物の真贋を判定するためのＩＤを生成するＩＤ生成ステップと、生成したＩＤに基づき、それぞれ異なる情報であって、その全てを組み合わせることによってＩＤを復元可能な複数の偽造防止情報を生成する偽造防止情報生成ステップと、１の印刷媒体上に、複数の偽造防止情報のうち、いずれか１以上の偽造防止情報を可視塗料で印刷すると共に、他の１以上の偽造防止情報を不可視塗料で印刷する印刷ステップと、を実行することを特徴とする。
【手続補正３】
【補正対象書類名】明細書
【補正対象項目名】００３９
【補正方法】変更
【補正の内容】
【００３９】
一方、レシート印刷装置２０は、ＰＯＳ端末１０による会計処理結果である会計情報、並びに上記の通常印刷情報５１を印刷する通常印刷部２１、上記のステルス印刷情報５２を印刷するステルス印刷部２２、長尺状のレシート用紙（印刷物）の印刷済み部分をレシート幅方向に切断するレシート切断部２３、ＰＯＳ端末１０とケーブル等を介して接続するための印刷装置インターフェース２４、レシート印刷装置２０を統括制御する印刷装置制御部２５、各種登録情報を不揮発に記憶する不揮発性メモリー２６、偽造防止情報５０を印刷するための偽造防止情報印刷プログラム２７、レシートＲに印刷するための印刷データを一時的に格納する印刷バッファ２８、などを備えている。